(57)【特許請求の範囲】
【請求項１】
厨房の調理台上方に設置されるレンジフードの送風機であって、多翼ファンを収容するボリュート形状のファンケーシングの吐出口付近に、ファンケーシング内に溜まった油がファンの回転による送風の力で吐出口に接続配管されるダクト側へ流出するのを阻止する油流出防止部を設け、
上記油流出防止部を、ファンケーシングの吐出口の端縁を内側に折り返した折り返し片で形成し、
上記吐出口に形成する折り返し片は、ケーシング内部で特に圧力の掛かるケーシング胴側一辺のみに形成したことを特徴とするレンジフード用送風機。
【請求項２】
厨房の調理台上方に設置される平型レンジフードの送風機であって、多翼ファンを収容するボリュート形状のファンケーシングの吐出口付近に、ファンケーシング内に溜まった油がファンの回転による送風の力で吐出口に接続配管されるダクト側へ流出するのを阻止する油流出防止部を設け、
上記油流出防止部を、水平に設置したファンケーシングの吐出口の端縁を内側に折り返した折り返し片で形成し、
上記吐出口に形成する折り返し片を、ケーシング胴側と該ケーシング胴側と直角に交叉するケーシングの下板の二辺にＬ字形に形成したことを特徴とするレンジフード用送風機。
【請求項３】
厨房の調理台上方に設置されるレンジフードの送風機であって、多翼ファンを収容するボリュート形状のファンケーシングの吐出口付近に、ファンケーシング内に溜まった油がファンの回転による送風の力で吐出口に接続配管されるダクト側へ流出するのを阻止する油流出防止部を設け、
上記油流出防止部が、ファンケーシングの吐出口内面に該ケーシングとは別部材を取付けて形成したことを特徴とするレンジフード用送風機。
【請求項４】
厨房の調理台上方に設置されるレンジフードの送風機であって、多翼ファンを収容するボリュート形状のファンケーシングの吐出口付近に、ファンケーシング内に溜まった油がファンの回転による送風の力で吐出口に接続配管されるダクト側へ流出するのを阻止する油流出防止部を設け、
上記油流出防止部が、吐出口の内側に断面略コの字形に形成されているレンジフード用送風機。
【発明の詳細な説明】
【０００１】
【発明の属する技術分野】
本発明は厨房の調理台使用によって発生する油煙、燃焼排ガス等を吸引排気するために使用するレンジフード用送風機に関し、詳しくは送風機の吐出口に接続されるダクト側へ送風機内部に付着した油が流出するのを防止する機構を備えた送風機に関する。
【０００２】
【従来の技術】
一般的に厨房のガスコンロ等の調理台の上方に局所換気用として設置されるレンジフードは、フードの内部に送風機が収容配置され、その送風機の吸込み口（ベルマウス）の上流位置にフィルターが取付けられ、調理により発生した油煙中の油脂分を捕獲するようになっている。
そのフィルターの油脂分の捕獲性能は高性能フィルターと称されるものでも６０％程度の捕獲性能であり、従ってフィルターを通り抜けたまだ油脂分を含む油煙は送風機のファンケーシング内に吸込まれ、多翼ファンに衝突すると共に、該多翼ファンの回転によって油煙はケーシング内面に衝突され、これにより油脂分がケーシングの内面に付着し、長期の使用においてケーシングの内部に多量の油が溜まってしまう。
【０００３】
その状態でレンジフードを運転し、送風機を高回転で運転すると、送風機のファンケーシングの下部に溜まった油は風の力でファンケーシングの内壁を伝って吐出口方向へ流動され、やがては送風機の吐出口に接続されるダクト側へ流れ到達する。
そして、ダクト配管に油が流動到達すると継ぎ目などの接合部から油が漏れたり、火災時に他部への延焼のきっかけになるといった問題点を有する。
【０００４】
【発明が解決しようとする課題】
本発明は上記した従来の技術が有する問題点に鑑みてなされたもので、その目的とするところは、油煙中に含まれる油脂分が送風機内部に溜まっても、その油が送風機を作動させても送風機に接続されるダクト側に流動するのを防止することができる送風機を提供することにある。
【０００５】
【課題を解決するための手段】
上記課題を達成するために本発明が講じた技術的手段は、多翼ファンを収容するボリュート形状のファンケーシングの吐出口付近に、ファンケーシング内に溜まった油がファンの回転による送風の力で吐出口に接続配管されるダクト側へ流出するのを阻止する油流出防止部を設けた構成を特徴とする。
油流出防止部を設ける吐出口付近とは、吐出口の端部は勿論のこと、吐出口よりやや上流位置も含むものである。
【０００６】
上記油流出防止部は、ファンケーシングの吐出口の端縁を内側に折り返した折り返し片で形成しても、或いは該ファンケーシングを構成する部材とは別体の別部品を取り付けて構成するなど何れでもよいものであり、後者の別部品の場合は吐出口よりやや上流側に形成することが可能である。
又、ファンケーシングの吐出口に上述したように該ケーシングと同一体または別部品の取付けによって形成する油流出防止部の形状は、吐出口の端縁から内側水平方向に向けて突出させた断面略Ｌ字形、或いは内側水平方向の突出端部を更に内側に向けて直角に突出させた断面略コの字形等が挙げられる。
【０００７】
更に、上記した油流出防止部の付設位置は、ファンケーシングにおける吐出口を区画する各辺（四辺）に設けても、或いはケーシング内部でも特に圧力のかかるケーシング胴側に沿って油が多く流出するので胴側の辺にのみ設けたり、又は送風機の吸込み口が下向き水平に成るように取付けられる場合はケーシング胴側と該ケーシング胴側と直角に交叉するケーシングの下板の二辺にＬ字形に形成してもよいものである。
【０００８】
上記の手段によれば、送風機におけるファンケーシングの吐出口付近に油流出防止部を設けたことにより、ケーシング内部に溜まった油は多翼ファンを高回転で運転した場合周壁に沿って吐出口側へと移動されるが、該吐出口に設けた油流出防止部でそれより下流側に位置するダクト側への流出を防止することができる。
そして、油流出防止部の形状を断面略コの字形に形成した場合は、油の流出をより確実に防止できると共に、コの字形の油流出防止部の内部には空気も充満しているため高速でケーシング内面に沿って流れる送風は直接油流出防止部に衝突せず、該油流出防止部内に停滞している空気に衝突することになり、衝突音、風切り音といった騒音の発生を防止でき、しかもコの字形の油流出防止部はリブ的補強の役をなしてファンケーシングの強度を補強し、振動の発生を防止する。
【０００９】
【発明の実施の形態】
以下、本発明の実施の形態を図面に基づいて説明する。
図１は本発明に係るレンジフード用送風機をフード内に収容した形態を示し、フード１内部に送風機Ａを収容すると共に、その送風機Ａの吸込み口４の上流側にフィルタ６が取付けられ、送風機に吸込まれる油煙中に含まれている油脂分の約半分程が該フィルタを通過することで捕獲されるように構成されている。そして、フィルタを通過した油煙は送風機に吸込まれ、送風機の吐出口５に接続されるダクト７を介して屋外に排出される。
【００１０】
以下、その送風機について説明すると、送風機Ａはボリュート形状を呈したファンケーシング１と、そのファンケーシング１内に収容する多翼ファン２とで構成され、そのファンケーシング１は上板１ａ、下板１ｂ、及び上板１ａと下板１ｂを所定の間隔に保持すると共に、上板１ａと下板１ｂの外周に沿って取付けられる帯板の胴部１ｃとで構成されている。そして上板１ａには多翼ファン２の着脱を可能ならしめる開口１ａ’が形成されると共に、その開口１ａ’にベルマウス１ｄが着脱可能に取付けられ、下板１ｂには支持部材を介してモータ３が取付けられ、そのモータ３の回転軸に多翼ファン２が取付けられている。
【００１１】
上記ファンケーシング１の吐出口５には油流出防止部８が形成され、これにより多翼ファン２が高回転で回転した場合、送風の力でケーシングの下部に溜まった油が吐出口５から該吐出口に接続配管されるダクト７側に流出するのを防止するように構成されている。
以下、その油流出防止部８について説明する。
ファンケーシング１の吐出口５に形成する油流出防止部８は、図１及び図２に示すようにファンケーシング１の吐出口５を区画形成する上板１ａ、下板１ｂ及び胴部１ｃの各辺の端縁を夫々内側に向けて直角に折り返した断面略Ｌ字形の折り返し片９で形成する。
【００１２】
又、上記のファンケーシング１の吐出口５を区画形成する構成部材を折り返した折り返し片９による油流出防止部８は、図５に示すようにケーシング内部で特に圧力の掛かる胴側一辺のみに形成してもよい。
【００１３】
そして、吐出口５を区画形成するファンケーシング１の構成部材を折り返して形成する油流出防止部８の形状は、図１に示した断面略Ｌ字形に限定されず、図６に示すように内側に向けて直角に折り返した端縁を更に内側に向けて直角に折り曲げた断面略コの字形の折り返し片９’としてもよい。断面略コの字形の折り返し片９’とした場合は、送風によって吐出口５側に移動されてくる油の移動を確実に止めることが出来ると共に、断面略コの字形の折り返し片９’の内部には空気も充満した状態となっているので、高速でケーシング内面に沿って流れる送風は直接折り返し片９’に衝突せずに該折り返し片９’の内部に停滞している空気に衝突することになり、衝突音、風切り音といった騒音の発生を防止し、且つ断面略コの字形の折り曲げはリブ的役割を果たして吐出口５の強度を補強し、振動の発生も同時に防止することが可能となる。
【００１４】
又、上記の油流出防止部８は上述したファンケーシング１の構成部材自体を折り曲げて形成する折り返し片９、９’の形態に限定されず、図８に示すようにファンケーシング１の構成部材とは別の成形品を、吐出口５に溶接などによって固定してもよい。この場合、吐出口５に取付ける成形品の形状としては、前記した折り返し片の形状と同様、図８（ａ）に示すＬ字形枠１０、或いは図８（ｂ）に示すコの字形枠１０’が挙げられる。
【００１５】
上記した実施の形態は何れも送風機が縦に設置される縦型フードの使用形態に付いて説明したが、本発明は送風機Ａが水平に設置される平型フードの使用形態にも利用できるものである。即ち、図９に示すように吸込み口を形成する上板１ａと胴部１ｃの二辺に油流出防止部８を形成して略Ｌ字形に構成しても同様の効果が期待できる。
尚、この場合油流出防止部８はファンケーシングの構成部材を折り曲げて形成しても、別部材の成形品を固着して形成してもよいものである。
【００１６】
以上の如く構成した送風機はファンケーシングの吐出口付近に油流出防止部が設けられていることで、送風機を高回転で運転しても該ケーシングの下部に溜まった油１１は風の力で吐出口付近まで流動されたとしても、それから先のダクト側７へは油流出防止部８で止められるためダクト７側への流出移動を防止することができる。
【００１７】
【発明の効果】
本発明のレンジフード用送風機はケーシングの吐出口付近に油流出防止部を設けた構成により、送風機を高回転で運転しても該ケーシングの下部に溜まった油は風の力で吐出口付近まで流動されたとしても、それから先のダクト側へは油流出防止部で止められるためダクト側への流出移動を防止することができる。従って、ダクト配管における継ぎ目などの接合部から油漏れが起きるのを防止でき、火災時に他部への延焼のきっかけとなるのを防止できる。
そして、上記の油流出防止部の形状を断面略コの字形とした場合は、送風によって吐出口側に移動されてくる油の移動を確実に止めることが出来ると共に、断面略コの字形の油流出防止部の内部には空気も充満した状態となっているので、高速でケーシング内面に沿って流れる送風は直接防止部に衝突せずに該防止部の内部に停滞している空気に衝突することになり、衝突音、風切り音といった騒音の発生を防止することが出来る。又、吐出口付近に断面略コの字形をした油流出防止部の形成はリブ的役割を果たして吐出口の強度を補強し、振動の発生も同時に防止することが可能となる。
【図面の簡単な説明】
【図１】  本発明の実施の形態の一例を示す一部切欠側面図である。
【図２】  （ａ）は図１の（２）−（２）線に沿える断面図、（ｂ）は（ａ）図の破線で囲んだ部分の拡大図である。
【図３】  図２（ａ）の（３）−（３）線に沿える横断面図である。
【図４】  ファンケーシングの分解斜視図である。
【図５】  油流出防止部を胴部辺にのみ形成した実施の形態を示す断面図である。
【図６】  油流出防止部を断面略コの字形に形成した実施の形態を示す部分断面図である。
【図７】  図６の（７）−（７）線に沿える横断面図である。
【図８】  油流出防止部をファンケーシングの構成部材とは別部材の成形品で構成する形態を示す斜視図で、（ａ）はＬ字形の成形品、（ｂ）はコの字形の成形品を示す。
【図９】  平型フードに装備する送風機の実施の形態を示す一部切欠斜視図である。
【符号の説明】
Ａ…送風機                    １…ファンケーシング
１ａ…上板                    １ｂ…下板
１ｃ…胴部                      ４…吸込み口
５…吐出口                    ７…ダクト
８…油流出防止部        ９，９’…折り返し片
１０，１０’…油流出防止部の成形品
【図１】
0004181669.tif 000002
【図２】
0004181669.tif 000003
【図３】
0004181669.tif 000004
【図４】
0004181669.tif 000005
【図５】
0004181669.tif 000006
【図６】
0004181669.tif 000007
【図７】
0004181669.tif 000008
【図８】
0004181669.tif 000009
【図９】
0004181669.tif 000010